(57)【要約】【課題】可視光射出用の窓と可視光以外の特定光受光用の窓とに関する設置スペースを低減できる電子機器の技術を提供する。【解決手段】撮像装置(電気機器)は、可視光を減衰させ可視光の波長帯域に属さない赤外光(特定の光)を透過させる材料を含有し、前面８１ｆから後方への厚みを持った前壁部８１ｗを有する窓部８１を備えている。また、撮像装置は、前壁部８１ｗの発光領域Ｅａ１を通って可視光Ｌｏを射出する発光部８４と、前壁部８１ｗの受光領域Ｅａ２を通って赤外光Ｌｉを受光する受光部８５とを備えている。そして、発光領域Ｅａ１に関する前壁部８１ｗの厚みは、受光領域Ｅａ２より薄くなっている。その結果、可視光Ｌｏを射出する窓と赤外光(特定光)Ｌｉを受光する窓とを１つの窓部(窓部材)８１で実現できるため、これらの窓に関する設置スペースを低減できる。【選択図】図６
2010197636.tif 000002
【特許請求の範囲】
【請求項１】
可視光を減衰させ可視光の波長帯域に属さない特定の光を透過させる材料を含有し、前面から後方への厚みを持った前壁部を有する窓部材と、
前記前壁部の後方に設けられ、前記前壁部の第１領域を通って前記可視光を射出する発光部と、
前記前壁部の後方に設けられ、前記第１領域と異なる前記前壁部の第２領域を通った前記特定の光を受光する受光部と、
を備えており、
前記第１領域に関する前記前壁部の厚みは、前記第２領域より薄い電子機器。
【請求項２】
可視光を減衰させ可視光の波長帯域に属さない特定の光を透過させる材料を含有し、前面から後方への厚みを持った前壁部を有する窓部材と、
前記前壁部の後方に設けられ、前記前壁部の第１領域を通って前記可視光を射出する発光部と、
前記前壁部の後方に設けられ、前記第１領域と異なる前記前壁部の第２領域を通った前記特定の光を受光する受光部と、
を備えており、
前記第１領域に関する前記前壁部の厚みは、前記第２領域より薄い撮像装置。
【請求項３】
帯状の頂上面部を持った隆起形状を有して把持に供されるグリップ部、
を備え、
前記窓部材は、帯状の前面を有するとともに、
前記帯状の頂上面部と前記帯状の前面との長手方向を略一致させて前記グリップ部に前記窓部材が設けられる請求項２記載の撮像装置。
【請求項４】
前記発光部から射出された前記可視光を前記前壁部の第１領域に導く第１の導光部と、前記前壁部の第２領域を透過した前記特定の光を前記受光部に導く第２の導光部とを有する導光手段、
をさらに備える請求項２記載の撮像装置。
【請求項５】
前記窓部材は、前記前壁部の第２領域から前記受光部の近傍まで延設された延設部を有する請求項２記載の撮像装置。
【請求項６】
前記前壁部は、後方に凹んだ凹部を有し、
前記第１領域は、前記凹部に配置される請求項２記載の撮像装置。
【請求項７】
可視光を減衰させ可視光の波長帯域に属さない特定の光を透過させる材料を含有し、前面から後方への厚みを持った前壁部を有する窓部材と、
前記窓部材が設けられて把持に供されるグリップ部と、
を備えており、
前記前壁部の後方に設けられた発光部からの可視光が前記前壁部の第１領域を通って射出されるとともに、前記前壁部の後方に設けられた受光部で前記第１領域と異なる前記前壁部の第２領域を通った前記特定の光が受光され、
前記第１領域に関する前記前壁部の厚みは、前記第２領域より薄いグリップ構造体。
【発明の詳細な説明】
【技術分野】
【０００１】
本発明は、可視光を減衰させ可視光の波長帯域に属さない特定の光を透過させる材料を含有した窓部材を備える電子機器の技術に関する。
【背景技術】
【０００２】
セルフ撮影およびリモートコントローラ(リモコン)による遠隔操作が可能なデジタルカメラなどの撮像装置(電子機器)では、その外面にセルフタイマー用の窓とリモコンからの赤外光を受光するためのリモコン受光用の窓とが設けられるのが一般的である（例えば特許文献１参照）。
【０００３】
ここで、リモコン受光用の窓は、リモコンに関する感度低下や誤動作を防止するため赤外線以外の波長の光を減衰させ赤外光(特定光)を主に透過させる材料(ＩＲ材料)からなる窓(特定光受光用の窓)として構成する必要がある。一方、セルフタイマー用の窓は、可視光を射出できるように可視光を透過させる材料からなる窓(可視光射出用の窓)として構成する必要がある。よって、これらの窓は異なる材料で形成し別々に設けられることとなる。
【先行技術文献】
【特許文献】
【０００４】
【特許文献１】特開２００８−１５４７６号公報
【発明の概要】
【発明が解決しようとする課題】
【０００５】
しかしながら、上記の撮像装置のようにセルフタイマー用の窓(可視光射出用の窓)とリモコン受光用の窓(可視光以外の特定光受光用の窓)とを別々に設けたのでは、これら２つの窓についての設置スペースを撮像装置の外面に確保しなければならず、撮像装置のコンパクト化等の妨げになる。
【０００６】
本発明は、上記課題に鑑みてなされたものであり、可視光射出用の窓と可視光以外の特定光受光用の窓とに関する設置スペースを低減できる電子機器の技術を提供することを目的とする。
【課題を解決するための手段】
【０００７】
本発明の第１の側面は、電子機器であって、可視光を減衰させ可視光の波長帯域に属さない特定の光を透過させる材料を含有し、前面から後方への厚みを持った前壁部を有する窓部材と、前記前壁部の後方に設けられ、前記前壁部の第１領域を通って前記可視光を射出する発光部と、前記前壁部の後方に設けられ、前記第１領域と異なる前記前壁部の第２領域を通った前記特定の光を受光する受光部とを備えており、前記第１領域に関する前記前壁部の厚みは、前記第２領域より薄い。
【０００８】
また、本発明の第２の側面は、撮像装置であって、可視光を減衰させ可視光の波長帯域に属さない特定の光を透過させる材料を含有し、前面から後方への厚みを持った前壁部を有する窓部材と、前記前壁部の後方に設けられ、前記前壁部の第１領域を通って前記可視光を射出する発光部と、前記前壁部の後方に設けられ、前記第１領域と異なる前記前壁部の第２領域を通った前記特定の光を受光する受光部とを備えており、前記第１領域に関する前記前壁部の厚みは、前記第２領域より薄い。
【０００９】
また、本発明の第３の側面は、グリップ構造体であって、可視光を減衰させ可視光の波長帯域に属さない特定の光を透過させる材料を含有し、前面から後方への厚みを持った前壁部を有する窓部材と、前記窓部材が設けられて把持に供されるグリップ部とを備えており、前記前壁部の後方に設けられた発光部からの可視光が前記前壁部の第１領域を通って射出されるとともに、前記前壁部の後方に設けられた受光部で前記第１領域と異なる前記前壁部の第２領域を通った前記特定の光が受光され、前記第１領域に関する前記前壁部の厚みは、前記第２領域より薄い。
【発明の効果】
【００１０】
本発明によれば、可視光を減衰させ可視光の波長帯域に属さない特定の光を透過させる材料を含有し、前面から後方への厚みを持った前壁部を有する窓部材を備え、前壁部の後方に設けられた発光部からの可視光が前壁部の第１領域を通って射出されるとともに、前壁部の後方に設けられた受光部で第１領域と異なる前壁部の第２領域を通った特定の光が受光され、第１領域に関する前壁部の厚みは第２領域より薄い。これにより、可視光射出用の窓と可視光以外の特定光受光用の窓とに関する設置スペースを低減できる。
【図面の簡単な説明】
【００１１】
【図１】本発明の第１実施形態に係る撮像装置の外観構成を示す図である。
【図２】第１実施形態に係る撮像装置の外観構成を示す図である。
【図３】第１実施形態に係る撮像装置の電気的な構成を示すブロック図である。
【図４】グリップカバーの外観構成を示す図である。
【図５】グリップカバーの外観構成を示す図である。
【図６】図４のVI−VI位置から見た断面図である。
【図７】本発明の第２実施形態に係る撮像装置の外観構成を示す正面図である。
【図８】グリップカバーの外観構成を示す斜視図である。
【図９】図７のIX−IX位置から見た断面図である。
【図１０】本発明の変形例に係る導光部を説明するための図である。
【図１１】本発明の変形例に係る窓部を説明するための図である。
【発明を実施するための形態】
【００１２】
＜第１実施形態＞
［撮像装置の要部構成］
図１〜図２は、本発明の第１実施形態に係る撮像装置１Ａの外観構成を示す図である。図１および図２は、撮像装置１Ａの正面外観図および背面外観図である。この撮像装置１Ａは、例えば一眼レフレックスタイプのデジタルスチルカメラとして構成された携帯型の電子機器として機能し、カメラボディ１０と、カメラボディ１０に着脱自在な撮影レンズとしての交換レンズ２とを備えている。
【００１３】
カメラボディ１０の筐体は、例えばプラスチックで形成されたフロントカバーＦＣ（図１）およびリアカバーＲＣ(図２)や、例えばゴムで表面が形成されたグリップカバーＧＣａなどの複数のパーツからなっている。なお、グリップカバーＧＣａの構成については、後で詳述する。
【００１４】
図１において、カメラボディ１０の正面側には、正面略中央に交換レンズ２が装着されるマウント部３０１と、マウント部３０１の右横に配置されたレンズ交換ボタン３０２と、正面左端部（Ｘ方向左側）において突設され、ユーザが片手（又は両手）により確実に把持（保持）可能とするためのグリップ部３０３Ａとが設けられている。また、カメラボディ１０には、正面右上部（Ｙ方向右上側）に配置されたモード設定ダイアル３０５と、正面左上部に配置されたシャッターボタン３０７と、シャッターボタン３０７の下方に配置された制御値設定ダイアル３０６とが設けられている。
【００１５】
また、図２において、カメラボディ１０の背面側には、ＬＣＤ（Liquid Crystal Display）３１１と、ＬＣＤ３１１付近に配置された設定ボタン３１２と、ＬＣＤ３１１の右方に配置された十字キー３１４と、十字キー３１４の中央に配置されたプッシュボタン３１５とが備えられている。また、カメラボディ１０の背面側には、ＬＣＤ３１１の上方に配設された光学ファインダ３１６と、光学ファインダ３１６の周囲を囲むアイカップ３２１と、光学ファインダ３１６の上方に配設されたフラッシュ部３１８および接続端子部３１９とが備えられている。
【００１６】
マウント部３０１は、交換レンズ２を装着するための部位であり、装着された交換レンズ２との電気的接続を行うためのコネクタＥｃ(図３参照)や、機械的接続を行うためのカプラ７５(図３参照)が設けられている。
【００１７】
レンズ交換ボタン３０２は、マウント部３０１に装着された交換レンズ２を取り外す際に押下されるボタンである。
【００１８】
グリップ部３０３Ａは、ユーザが撮影時に当該カメラボディ１０を把持する部分であり、グリップカバーＧＣａに設けられている。なお、グリップ部３０３Ａの後方には電池収納室とカード収納室とが設けられている。この電池収納室にはカメラの電源として電池６９Ｂ(図３参照)が収納されており、カード収納室には撮影画像の画像データを記録するための記録媒体であるメモリカード６７(図３参照)が着脱可能に収納されるようになっている。
【００１９】
モード設定ダイアル３０５は、カメラボディ１０の上面と略平行な面内で回転可能な略円盤状の部材からなる。このモード設定ダイアル３０５は、自動露出（ＡＥ）制御モードや自動焦点（ＡＦ；オートフォーカス）制御モード、或いは１枚の静止画を撮影する静止画撮影モードや連続撮影を行う連続撮影モード等の各種撮影モード、記録済みの画像を再生する再生モード等、カメラボディ１０に搭載されたモードや機能を択一的に選択するためのものである。一方、制御値設定ダイアル３０６は、カメラボディ１０に搭載された各種の機能に対する制御値を設定するためのものである。
【００２０】
シャッターボタン３０７は、途中まで押し込んだ「半押し状態」の操作と、さらに押し込んだ「全押し状態」の操作とが可能とされた押下スイッチである。静止画撮影モードにおいてシャッターボタン３０７が半押し（Ｓ１）されると、被写体の静止画を撮影するための準備動作（露出制御値の設定や焦点調節等の準備動作）が実行される。そして、シャッターボタン３０７が全押し（Ｓ２）されると、撮影動作（撮像素子を露光し、その露光によって得られた画像信号に所定の画像処理を施してメモリカード等に記録する一連の動作）が実行される。
【００２１】
ＬＣＤ３１１は、カラー液晶パネルを備えており、撮像素子１０１(図３参照)によって撮像された画像の表示や記録済みの画像の再生表示等を行うとともに、カメラボディ１０に搭載される機能やモードの設定画面を表示するものである。
【００２２】
設定ボタン３１２は、カメラボディ１０に搭載された各種の機能に対する操作を行うボタンである。この設定ボタン３１２には、例えばＬＣＤ３１１に表示されるメニュー画面で選択された内容を確定するための選択確定スイッチ、選択取り消しスイッチ、メニュー画面の内容を切り替えるメニュー表示スイッチ、表示オン／オフスイッチ、表示拡大スイッチなどが含まれる。
【００２３】
十字キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、十字キー３１４の中央に配置されている。十字キー３１４及びプッシュボタン３１５は、撮影倍率の変更（ズームレンズのワイド方向やテレ方向への移動）、ＬＣＤ３１１に再生する記録画像のコマ送り、及び撮影条件（絞り値、シャッタスピード、フラッシュ発光の有無等）の設定等の指示を入力するためのものである。
【００２４】
光学ファインダ３１６は、被写体が撮影される範囲を光学的に表示するものである。すなわち、光学ファインダ３１６には、交換レンズ２からの被写体像が導かれており、ユーザは、この光学ファインダ３１６を覗くことにより、実際に撮像素子１０１にて撮影される被写体を視認することができる。
【００２５】
フラッシュ部３１８は、ポップアップ式の内蔵フラッシュとして構成されている。一方、外部フラッシュ等をカメラボディ１０に取り付ける場合には、接続端子部３１９を使用して接続されることとなる。
【００２６】
アイカップ３２１は、遮光性を有して光学ファインダ３１６への外光の侵入を抑制する遮光部材である。
【００２７】
交換レンズ２は、被写体からの光（光像）を取り込むレンズ窓として機能するとともに、当該被写体光をカメラボディ１０の内部に配置されている後述の撮像素子１０１や光学ファインダ３１６へ導くための撮影光学系と構成するものである。この交換レンズ２は、上述のレンズ交換ボタン３０２を押下操作することで、カメラボディ１０から取り外すことが可能とされている。
【００２８】
交換レンズ２は、光軸に沿って直列的に配置された複数のレンズからなるレンズ群２１を備えてなる(図３参照)。このレンズ群２１には、焦点の調節を行うためのフォーカスレンズ２１１(図３参照)、変倍を行うためのズームレンズ２１２(図３参照)が含まれており、それぞれ光軸方向に駆動されることで、変倍や焦点調節が行われる。また、交換レンズ２には、その鏡胴の外周適所に当該鏡胴の外周面に沿って回転可能な操作環が備えられており、上記ズームレンズ２１２は、マニュアル操作或いはオート操作により、上記操作環の回転方向及び回転量に応じて光軸方向に移動し、その移動先の位置に応じたズーム倍率(撮影倍率)に設定されるようになっている。
【００２９】
［撮像装置１Ａの電気的構成］
図３は、撮像装置１Ａの電気的な構成を示すブロック図である。ここで、図１〜図２と同一の部材等については、同一の符号を付している。なお、説明の便宜上、交換レンズ２の電気的構成について先ず説明する。
【００３０】
交換レンズ２は、上述した撮影光学系を構成するレンズ群２１に加え、フォーカス駆動制御部７１Ａ及びＡＦアクチュエータ７１Ｍと、レンズ駆動機構２４と、レンズ位置検出部２５と、レンズ制御部２６と、絞り駆動機構２７とを備えている。
【００３１】
レンズ群２１では、フォーカスレンズ２１１及びズームレンズ２１２と、カメラボディ１０に備えられた撮像素子１０１へ入射される光量を調節するための絞り２３とが、鏡胴２２内において交換レンズ２の光軸方向に保持されており、被写体の光像を取り込んで撮像素子１０１に結像させる。ＡＦ制御では、フォーカスレンズ２１１が交換レンズ２内のＡＦアクチュエータ７１Ｍにより光軸方向に駆動されることで焦点調節が行われる。
【００３２】
フォーカス駆動制御部７１Ａは、レンズ制御部２６を介してメイン制御部６２から与えられるＡＦ制御信号に基づき、フォーカスレンズ２１１を合焦位置に移動させるために必要な、ＡＦアクチュエータ７１Ｍに対する駆動制御信号を生成するものである。ＡＦアクチュエータ７１Ｍは、ステッピングモータ等からなり、レンズ駆動機構２４にレンズ駆動力を与える。
【００３３】
レンズ駆動機構２４は、例えばヘリコイド及び当該ヘリコイドを回転させる図示省略のギア等で構成され、ＡＦアクチュエータ７１Ｍからの駆動力を受けて、フォーカスレンズ２１１等を光軸と平行な方向に駆動させるものである。なお、フォーカスレンズ２１１の移動方向及び移動量は、それぞれＡＦアクチュエータ７１Ｍの回転方向及び回転数に従う。
【００３４】
レンズ位置検出部２５は、レンズ群２１の移動範囲内において光軸方向に複数個のコードパターンが所定ピッチで形成されたエンコード板と、このエンコード板に摺接しながらレンズと一体的に移動するエンコーダブラシとを備えており、レンズ群２１の焦点調節時の移動量を検出する。なお、レンズ位置検出部２５で検出されたレンズ位置は、例えばパルス数として出力される。
【００３５】
レンズ制御部２６は、例えば制御プログラム等を記憶するＲＯＭや状態情報に関するデータを記憶するフラッシュメモリ等のメモリが内蔵されたマイクロコンピュータからなっている。
【００３６】
また、レンズ制御部２６は、コネクタＥｃを介してカメラボディ１０のメイン制御部６２との間で通信を行う通信機能を有している。これにより、例えばレンズ群２１の焦点距離、射出瞳位置、絞り値、合焦距離及び周辺光量状態等の状態情報データや、レンズ位置検出部２５で検出されるフォーカスレンズ２１１の位置情報をメイン制御部６２に送信できるとともに、メイン制御部６２から例えばフォーカスレンズ２１１の駆動量のデータを受信できる。
【００３７】
絞り駆動機構２７は、カプラ７５を介して絞り駆動アクチュエータ７６Ｍからの駆動力を受けて、絞り２３の絞り径を変更するものである。
【００３８】
続いて、カメラボディ１０の電気的構成について説明する。カメラボディ１０は、撮像素子１０１、シャッタユニット４０、ＡＦＥ（アナログフロントエンド）５、画像処理部６１、画像メモリ６１４、メイン制御部６２、フラッシュ回路６３、操作部６４、ＶＲＡＭ６５、カード・インターフェース（Ｉ／Ｆ）６６、メモリカード６７および通信用インターフェース（Ｉ／Ｆ）６８を備えて構成されている。また、カメラボディ１０は、電源回路６９、電池６９Ｂ、ミラー駆動制御部７２Ａ及びミラー駆動アクチュエータ７２Ｍ、シャッタ駆動制御部７３Ａ及びシャッタ駆動アクチュエータ７３Ｍ、絞り駆動制御部７６Ａ及び絞り駆動アクチュエータ７６Ｍを備えている。
【００３９】
撮像素子１０１は、カメラボディ１０に交換レンズ２が装着された場合の当該交換レンズ２が備えているレンズ群２１の光軸上において、光軸に対して垂直となる方向に配置されている。撮像素子１０１としては、例えばフォトダイオードを有して構成される複数の画素がマトリクス状に２次元配置されたＣＭＯＳカラーエリアセンサ（ＣＭＯＳ型の撮像素子）が用いられる。撮像素子１０１は、交換レンズ２を通って受光された被写体光束に関するＲ（赤）、Ｇ（緑）、Ｂ（青）各色成分のアナログの電気信号（画像信号）を生成し、Ｒ、Ｇ、Ｂ各色の画像信号として出力する。
【００４０】
撮像素子１０１は、後述のタイミング制御回路５１により、当該撮像素子１０１の露光動作の開始（及び終了）や、撮像素子１０１が備える各画素の出力選択、画素信号の読出し等の撮像動作が制御される。
【００４１】
撮像素子１０１の光軸方向前方には、シャッタユニット４０が配置されている。このシャッタユニット４０は、上下方向に移動する幕体を備え、その開動作および閉動作により交換レンズ２の光軸に沿って撮像素子１０１に導かれる被写体光の光路開口動作および光路遮断動作を行うメカニカルフォーカルプレーンシャッタとして構成されている。なお、シャッタユニット４０は、撮像素子１０１が完全電子シャッター可能な撮像素子である場合には省略可能である。
【００４２】
ＡＦＥ５は、撮像素子１０１に対して所定の動作を行わせるタイミングパルスを与えると共に、撮像素子１０１から出力される画像信号（ＣＭＯＳエリアセンサの各画素で受光されたアナログ信号群）に所定の信号処理を施し、デジタル信号に変換して画像処理部６１に出力するものである。このＡＦＥ５は、タイミング制御回路５１、信号処理部５２及びＡ／Ｄ変換部５３などを備えて構成されている。
【００４３】
タイミング制御回路５１は、メイン制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２やＡ／Ｄ変換部５３にそれぞれ出力することにより、信号処理部５２及びＡ／Ｄ変換部５３の動作を制御する。
【００４４】
信号処理部５２は、撮像素子１０１から出力されるアナログの画像信号に所定のアナログ信号処理を施すものである。この信号処理部５２には、ＣＤＳ（相関二重サンプリング）回路、ＡＧＣ（オートゲインコントロール）回路及びクランプ回路等が備えられている。Ａ／Ｄ変換部５３は、信号処理部５２から出力されたアナログのＲ、Ｇ、Ｂの画像信号を、タイミング制御回路５１から出力されるタイミングパルスに基づいて、複数のビット（例えば１２ビット）からなるデジタルの画像信号に変換するものである。
【００４５】
画像処理部６１は、ＡＦＥ５から出力される画像データに所定の信号処理を行って画像ファイルを作成するもので、黒レベル補正回路６１１、ホワイトバランス制御回路６１２及びガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００４６】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００４７】
ホワイトバランス補正回路６１２は、光源に応じた白の基準に基づいて、Ｒ(赤)、Ｇ(緑)、Ｂ(青)の各色成分のデジタル信号のレベル変換（ホワイトバランス(ＷＢ)調整）を行うものである。すなわちホワイトバランス制御回路６１２は、メイン制御部６２から与えられるＷＢ調整データに基づき、撮影被写体において輝度や彩度データ等から本来白色であると推定される部分を特定し、その部分のＲ、Ｇ、Ｂそれぞれを色成分の平均と、Ｇ／Ｒ比及びＧ／Ｂ比とを求め、これをＲ、Ｂの補正ゲインとしてレベル補正する。
【００４８】
ガンマ補正回路６１３は、ＷＢ調整された画像データの階調特性を補正するものである。具体的にはガンマ補正回路６１３は、画像データのレベルを色成分毎に予め設定されたガンマ補正用テーブルを用いて非線形変換するとともにオフセット調整を行う。
【００４９】
画像メモリ６１４は、撮影モード時において、画像処理部６１から出力される画像データを一時的に記憶するとともに、この画像データに対しメイン制御部６２により所定の処理を行うための作業領域として用いられるメモリである。また、再生モード時には、メモリカード６７から読み出した画像データを一時的に記憶する。
【００５０】
メイン制御部６２は、例えば制御プログラムを記憶するＲＯＭや一時的にデータを記憶するＲＡＭ等の記憶部が内蔵されたマイクロコンピュータからなり、撮像装置１Ａ各部の動作を制御するものである。
【００５１】
フラッシュ回路６３は、フラッシュ撮影モードにおいて、フラッシュ部３１８または接続端子部３１９に接続される外部フラッシュの発光量を、メイン制御部６２により設定された発光量に制御するものである。
【００５２】
操作部６４は、上述のモード設定ダイアル３０５、制御値設定ダイアル３０６、シャッターボタン３０７、十字キー３１４、プッシュボタン３１５等を含み、操作情報をメイン制御部６２に入力するためのものである。
【００５３】
ＶＲＡＭ６５は、ＬＣＤ３３１の画素数に対応した画像信号の記憶容量を有し、メイン制御部６２とＬＣＤ３３１との間のバッファメモリである。カードＩ／Ｆ６６は、メモリカード６７とメイン制御部６２との間で信号の送受信を可能とするためのインターフェースである。メモリカード６７は、メイン制御部６２で生成された画像データを保存する記録媒体である。通信用Ｉ／Ｆ６８は、パーソナルコンピュータやその他の外部機器に対する画像データ等の伝送を可能とするためのインターフェースである。
【００５４】
電源回路６９は、例えば定電圧回路等からなり、メイン制御部６２等の制御部、撮像素子１０１、その他の各種駆動部等、撮像装置１Ａ全体を駆動させるための電圧を生成する。なお、撮像素子１０１への通電制御は、メイン制御部６２から電源回路６９に与えられる制御信号により行われる。電池６９Ｂは、ニッケル水素充電池等の二次電池や、アルカリ乾電池等の一次電池からなり、撮像装置１Ａ全体に電力を供給する電源である。
【００５５】
ミラー駆動制御部７２Ａは、撮影動作のタイミングに合わせて、ミラー駆動アクチュエータ７２Ｍを駆動させる駆動信号を生成するものである。ミラー駆動アクチュエータ７２Ｍは、例えばクイックリターンミラーとして構成されるミラー部１０３を、水平姿勢若しくは傾斜姿勢に回動させるアクチュエータである。
【００５６】
シャッタ駆動制御部７３Ａは、メイン制御部６２から与えられる制御信号に基づき、シャッタ駆動アクチュエータ７３Ｍに対する駆動制御信号を生成するものである。シャッタ駆動アクチュエータ７３Ｍは、シャッタユニット４０の開閉駆動を行うアクチュエータである。
【００５７】
絞り駆動制御部７６Ａは、メイン制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００５８】
［グリップカバーＧＣａの構成］
図４および図５は、グリップカバーＧＣａの外観構成を示す図である。この図４および図５は、グリップカバーＧＣａの正面外観図および斜視外観図である。また、図６は、図４のVI−VI位置から見た断面図である。
【００５９】
グリップカバー(グリップ構造体)ＧＣａは、撮像装置１Ａの筐体として構成され、本体部８０と、本体部８０に設けられたグリップ部３０３Ａの中央付近に配設される窓部（窓部材）８１（図６では網掛けで図示）とを備えている。また、グリップカバーＧＣａは、窓部８１の後方に配設された導光部８２（図６では平行斜線で図示）と、導光部８２の後方に配置され基板８３上に実装された発光部８４および受光部８５とを備えている。なお、グリップカバーＧＣａには、撮像装置１Ａの筐体を構成する他のパーツとの接続を行うための接続部ＣＮが設けられている。
【００６０】
本体部８０は、例えばゴムで形成されており、弾力性を有している。また、本体部８０は、ユーザの把持に供されるグリップ部３０３Ａが前側(＋Ｚ方向)に隆起した隆起形状ＳＰを有しており、この隆起形状ＳＰはＹ軸方向に沿って伸びた帯状の頂上面部ＳＰｔを備えている。そして、窓部８１は、頂上面部ＳＰｔに形成された縦長の凹部８０ｈに嵌合されて固定される。
【００６１】
発光部８４は、例えば発光ダイオード(ＬＥＤ)として構成される発光素子を有しており、この発光素子から可視光を射出できる。このような構成の発光部８４は、セルフ撮影でのセルフタイマー用のランプとして使用される。
【００６２】
受光部８５は、受光素子を有しており、撮像装置１Ａを遠隔操作するリモートコントローラ(以下は「リモコン」とも略称する)から出射された赤外線を検知するリモコン受光部として機能する。
【００６３】
導光部８２は、発光部８４から出射された可視光Ｌｏを窓部８１の発光領域Ｅａ１(後述)に導く導光管(第１の導光部)８２１と、撮像装置１Ａ外部のリモコンから出射され窓部８１の受光領域Ｅａ２(後述)を透過した赤外光Ｌｉを受光部８５に導く導光管(第２の導光部)８２２とが一体となった形状を有している。このような導光部(導光手段)８２により、窓部８１と窓部８１から比較的遠い発光部８３および受光部８４との間で光を効率良く伝搬できる。
【００６４】
窓部８１は、可視光、つまり赤外線(Infrared Ray)以外の波長の光を減衰させ可視光の波長帯域に属さない赤外光(特定の光)を透過させる材料(ＩＲ材料)を含有して形成され、一定の剛性を有している。この窓部８１は、隆起形状ＳＰの頂上面部ＳＰｔの上端付近から下端付近までＹ軸方向に沿って伸びた細長い帯状の前面８１ｆを有しており、前面８１ｆと前面８１ｆ周辺の本体部８０の表面とは段差のない連続面、いわゆる面一として構成されている。そして、頂上面部ＳＰｔの長手方向に前面８１ｆの長手方向を略一致させた窓部８１がグリップ部３０３Ａに設けられることで、ユーザがグリップ部３０３Ａを把持した際に本体部８０より剛性が高い窓部８１による手触り感の向上が図れるとともに、デザイン上のアクセントにもなる。
【００６５】
また、窓部８１は、前面８１ｆから後方(−Ｚ方向)への厚みを持った前壁部８１ｗを有している。この前壁部８１ｗについては、全体的に一定の肉厚(例えば１.５ｍｍ程度)を有しているが、発光部８４および導光管８２１の前方にある領域（以下では「発光領域」ともいう)Ｅａ１の肉厚が例えば０.５ｍｍ程度に設定され局所的に薄くなっている。このように発光領域Ｅａ１の肉厚を薄くすれば、発光部８４からの可視光ＬｏがＩＲ材料を含有した窓部８１を透過して射出できることとなる。一方、受光部８５および導光管８２２の前方にあって発光領域Ｅａ１と異なる前壁部８１ｗの領域（以下では「受光領域」ともいう）Ｅａ２においては、ある程度の肉厚を有するため、この受光領域Ｅａ２を介して受光部８５でリモコンからの赤外光を適切に受光することが可能となる。
【００６６】
このような窓部８１の構成により、発光部８４用の窓部材と受光部８５用の窓部材とを１つの部材として共用化できるため、窓部材を設置するスペースの低減が図れ、コスト削減に寄与できる。そして、窓部材の共用化により発光部８４と受光部８５とを接近させることが可能となるため、発光部８４と受光部８５とを１つの基板８５に実装して部品点数の削減によるコスト低減が図れることとなる。また、ＩＲ材料を含有した窓部８１の受光領域Ｅａ２において赤外線以外の波長帯域の光が抑制されて受光部８５に到達するため、撮像装置１Ａ外部のリモコンから出射された赤外光Ｌｉを受光部８５で適切に受光できることとなり、リモコンに関する感度低下や誤動作を防止できる。一方、発光部８４から出射された可視光Ｌｏは、肉厚が薄い窓部８１の発光領域Ｅａ１に入射するため、可視光Ｌｏの減衰が抑えられて窓部８１を透過できることとなり、ユーザによる可視光Ｌｏの視認が可能となる。
【００６７】
以上の構成を有する撮像装置１ＡのグリップカバーＧＣａでは、前壁部８１ｗの後方に設けられた発光部８４からの可視光Ｌｏが透過して射出される発光領域(第１領域)Ｅａ１に関しての前壁部８１ｗの厚みが、前壁部８１ｗの後方に設けられた受光部８５で受光される赤外光(特定の光)Ｌｉが透過する受光領域(第２領域)Ｅａ２より薄い。これにより、可視光Ｌｏを射出する窓と赤外光(可視光以外の特定光)Ｌｉを受光する窓とを１つの窓部(窓部材)８１で実現できるため、これらの窓に関する設置スペースを低減できることとなる。
【００６８】
＜第２実施形態＞
図７は、本発明の第２実施形態に係る撮像装置１Ｂの外観構成を示す正面図である。
【００６９】
第２実施形態の撮像装置１Ｂにおいては、図２に示す背面構成および図３に示す電気的構成を備えている点が第１実施形態の撮像装置１Ａと同じであるが、図７に示すグリップカバーＧＣｂの構成を有している点が第１実施形態と相違している。以下では、このグリップカバーＧＣｂの構成を詳しく説明する。
【００７０】
［グリップカバーＧＣｂの構成］
図８は、グリップカバーＧＣｂの外観構成を示す斜視図である。また、図９は、図７のIX−IX位置から見た断面図である。
【００７１】
グリップカバーＧＣｂは、第１実施形態のグリップカバーＧＣａと類似の構成を有しているが、本体部８６と窓部８７（図９では網掛けで図示）と導光部８８（図９では平行斜線で図示）とについての各形状が相違している。なお、グリップカバーＧＣｂでは、第１実施形態と同様の構成を有する発光部８４および受光部８５が基板８９に実装されている。
【００７２】
本体部８６は、第１実施形態の本体部８０と同様に、例えばゴムで形成され弾力性を有している。また、本体部８６は、ユーザに把持されるグリップ部３０３Ｂが前側（＋Ｚ方向）に隆起した隆起形状ＳＱを有しており、隆起形状ＳＰではＹ軸方向に沿って伸びた帯状の頂上面部ＳＱｔに縦長の窓部８７が固定されている。ここで、隆起形状ＳＱの頂上面部ＳＱｔは、第１実施形態の頂上面部ＳＰｔのように略平坦な形状でなく、窪みとしての凹部ＳＱｖが上部に形成されている。
【００７３】
導光部８８は、発光部８４から出射された可視光Ｌｏを窓部８７の発光領域Ｅｂ１(後述)に導く導光管(第１の導光部)８８１と、撮像装置１Ｂ外部のリモコンから出射され窓部８７の受光領域Ｅｂ２(後述)を透過した赤外光Ｌｉを受光部８５に導く導光管(第２の導光部)８８２とが一体となった形状を有している。このような導光部(導光手段)８８により、窓部８７と窓部８７から離れた発光部８４および受光部８５との間で、光を効率良く伝搬できる。
【００７４】
窓部８７は、第１実施形態の窓部８１と同様に、ＩＲ材料を含有して形成され、一定の剛性を有している。この窓部８７は、隆起形状ＳＱの頂上面部ＳＱｔにおいてＹ軸方向に沿って伸びた細長い帯状の前面８７ｆを有しており、前面８７ｆと前面８７ｆ周辺の本体部８６の表面とは段差のない連続面、いわゆる面一として構成されている。よって、窓部８７の前面８７ｆは、隆起形状ＳＱに形成される凹部ＳＱｖに適合するように、後方（−Ｚ方向）に凹んだ凹部８７ｖを有することとなる。また、頂上面部ＳＱｔの長手方向に前面８７ｆの長手方向を略一致させた窓部８７がグリップ部３０３Ｂに設けられることで、ユーザがグリップ部３０３Ｂを把持した際に本体部８６より高剛性の窓部８７による手触り感の向上が図れるとともに、デザイン性も向上する。
【００７５】
また、窓部８７は、前面８７ｆから後方(−Ｚ方向)への厚みを持った前壁部８７ｗを有している。この前壁部８７ｗについては、全体的に一定の肉厚(例えば１.５ｍｍ程度)を有しているが、発光部８４および導光管８８１の前方にある領域（以下では「発光領域」ともいう）Ｅｂ１の肉厚が例えば０.５ｍｍ程度に設定され局所的に薄くなっており、この発光領域Ｅｂ１は、上述した凹部８７ｖに配置されている。このように発光領域Ｅｂ１の肉厚を薄くすれば、第１実施形態と同様に、発光部８４からの可視光ＬｏがＩＲ材料を含有した窓部８７を透過して射出できる。一方、受光部８５および導光管８８２の前方にある前壁部８７ｗの領域（以下では「受光領域」ともいう）Ｅｂ２においては、ある程度の肉厚を有するため、この受光領域Ｅｂ２を介して受光部８５でリモコンからの赤外光を適切に受光することが可能となる。
【００７６】
このような窓部８７の構成により、第１実施形態と同様に、発光部８４用の窓部材と受光部８５用の窓部材とを１つの部材として共用化できるため、窓部材を設置するスペースの低減が図れてコスト削減に寄与できるとともに、発光部８４と受光部８５とを１つの基板８５に実装して部品点数の削減によるコスト低減が図れる。また、ＩＲ材料を含有した窓部８７の受光領域Ｅｂ２において赤外線以外の波長帯域の光が抑制されて受光部８５に到達するため、撮像装置１Ｂ外部のリモコンから出射された赤外光Ｌｉを受光部８５で適切に受光できることとなり、リモコンに関する感度低下や誤動作を防止できる。一方、発光部８４から出射された可視光Ｌｏは、肉厚が薄い窓部８７の発光領域Ｅｂ１に入射するため、可視光Ｌｏの減衰が抑えられて窓部８７を透過できることとなり、ユーザによる可視光Ｌｏの視認が可能となる。さらに、窓部８７の発光領域Ｅｂ１は、後方に凹んだ前壁部８７ｗの凹部８７ｖに配置されるため、凹部８７ｖの凹面鏡的な働きにより、発光領域Ｅｂ１を視認するユーザにおいて発光領域Ｅｂ１での反射光による眩しさを低減できる。
【００７７】
以上の構成を有する撮像装置１ＢのグリップカバーＧＣｂでは、前壁部８７ｗの後方に設けられた発光部８４からの可視光Ｌｏが透過して射出される発光領域(第１領域)Ｅｂ１に関しての前壁部８７ｗの厚みが、前壁部８７ｗの後方に設けられた受光部８５で受光される赤外光Ｌｉが透過する受光領域(第２領域)Ｅｂ２より薄い。これにより、可視光Ｌｏを射出する窓と赤外光Ｌｉを受光する窓とを１つの窓部(窓部材)８７で実現できるため、これらの窓に関する設置スペースを低減できることとなる。
【００７８】
＜変形例＞
上記の第１実施形態においては、図６のように発光部８４用の導光管８２１と受光部８５用の導光管８２２とが一体となった導光部８２を採用するのは必須でなく、図１０に示すように発光部８４用の導光管８２１ｒと受光部８５用の導光管８２２ｒとが別体となった導光部８２ｒを採用しても良い。また、図１０に示す構成において導光管８２２ｒを窓部の材料で置換した窓部８１ｒ(図１１)を採用しても良い。このように窓部８１ｒが、受光領域(第２領域)Ｅａ２から受光部８５の近傍まで延設された延設部８１ｅを有することにより、受光部８５の前方に配置されるＩＲ材料の厚みが増すため、赤外線以外の光が受光部８５で受光されるのを効果的に抑制できる。
【００７９】
なお、上述した図１０や図１１に示す構成については、第２実施形態にも適用可能である。
【００８０】
上記の各実施形態においては、導光部８２、８８を設けるのは必須でなく、窓部８１、８７から発光部８４や受光部８５までの距離が近い場合には導光部を省略するようにしても良い。
【００８１】
上記の各実施形態における窓部については、赤外光を透過させるＩＲ材料を含有するのは必須でなく、例えばリモコンから紫外光が射出される場合には可視光を減衰させて紫外光(特定光)を主に透過させる材料を含有するようにしても良い。
【００８２】
上記の各実施形態においては、前壁部の発光領域Ｅａ１、Ｅｂ１を０.５ｍｍ程度の厚みに設定しているが、これに限定されるものでない。すなわち、可視光を射出する発光部の発光強度やＩＲ材料の特性などによって窓部を透過する可視光の光量が変化するが、窓部の透過光として必要な光量を確保できる厚みより薄ければ良い。
【００８３】
本発明については、上述した撮像装置に限らず、ＰＤＡ（Personal Digital Assistants）やモバイルパソコン、携帯電話等を含む電子機器に適用することが可能である。
【００８４】
本発明は詳細に説明されたが、以上の説明は、すべての局面において、例示であって、この発明がそれに限定されるものではない。例示されていない無数の変形例が、この発明の範囲から外れることなく想定され得るものと解される。
【符号の説明】
【００８５】
１Ａ、１Ｂ  撮像装置
２  交換レンズ
１０  カメラボディ
８０、８６  本体部
８１、８１ｒ、８７  窓部
８１ｅ  延設部
８１ｆ、８７ｆ  窓部の前面
８１ｗ、８７ｗ  前壁部
８２、８２ｒ、８８  導光部
８３、８９  基板
８４  発光部
８５  受光部
８７ｖ  窓部(前壁部)の凹部
３０３Ａ、３０３Ｂ  グリップ部
８２１、８２１ｒ、８２２、８２２ｒ  導光管
Ｅａ１、Ｅｂ１  発光領域
Ｅａ２、Ｅｂ２  受光領域
ＧＣａ、ＧＣｂ  グリップカバー
【図１】
2010197636.tif 000003
【図２】
2010197636.tif 000004
【図３】
2010197636.tif 000005
【図４】
2010197636.tif 000006
【図５】
2010197636.tif 000007
【図６】
2010197636.tif 000008
【図７】
2010197636.tif 000009
【図８】
2010197636.tif 000010
【図９】
2010197636.tif 000011
【図１０】
2010197636.tif 000012
【図１１】
2010197636.tif 000013